(57)【要約】 【課題】ランニングコストを抑えながら、室内空気を全体的に効率良く浄化することができる空気浄化機能を有する建築化照明システムを提供する。【解決手段】この建築化照明システムは、室内の天井１の下方に、透光性を有する例えば硝子板からなる天井板材２を配設するとともに、天井１と天井板材２との間の空間３に照明用光源４を配置して、天井板材２を透過させた照明用光源４からの可視光によって室内を照明するものであって、天井板材２における光透過部位に可視光型光触媒領域１０を設けている。【選択図】  図２
2007095552.tif 000002
【特許請求の範囲】
【請求項１】
室内の天井（１）の下方に、透光性を有する天井板材（２）を配設するとともに、前記天井（１）と天井板材（２）との間の空間（３）に照明用光源（４）を配置して、前記天井板材（２）を透過させた前記照明用光源（４）からの可視光によって室内を照明する建築化照明システムにおいて、可視光の照射により活性を有する可視光型光触媒領域（１０）を、前記天井板材（２）における光透過部位に設けたことを特徴とする空気浄化機能を有する建築化照明システム。
【請求項２】
前記可視光型光触媒領域（１０）付近の空気を強制的に流動させるための送風機（１１）を、前記天井板材（２）により覆い隠すようにして、前記室内の天井（１）又は天井板材（２）に取り付けた請求項１記載の空気浄化機能を有する建築化照明システム。
【請求項３】
前記室内の天井（１）と天井板材（２）との間の空間（３）と、前記天井板材（２）の下方の室内空間とを連通する通気用の空隙（８）（１２）を設けた請求項１又は２記載の空気浄化機能を有する建築化照明システム。
【請求項４】
前記天井板材（２）は、硝子板からなる請求項１乃至３のいずれかに記載の空気浄化機能を有する建築化照明システム。
【発明の詳細な説明】
【技術分野】
【０００１】
この発明は、可視光型光触媒を利用した空気浄化機能を有する建築化照明システムに関する。
【背景技術】
【０００２】
住宅における高断熱高気密化は、省エネルギー性及び室内の温熱環境の向上をもたらしている。しかし、その一方で、内装材や家具等に使用されている接着剤や塗料等から放出されるホルムアルデヒド等の揮発性有機化合物（ＶＯＣ）が室内に滞留し易くなって、頭痛、めまい、吐き気等の体の変調をきたす、いわゆるシックハウス症候群（化学物質過敏症）が問題になっている。
【０００３】
このため、室内の空気を浄化するための空気清浄機が各種市販されている。例えば、活性炭等の吸着材を用いて有機化合物を吸着するものや、ブラックライトと紫外光型光触媒を用いて有機化合物を分解するものがある。
【０００４】
しかしながら、このような空気清浄機は、一般に据え置き型のものが多く、室内空気の局部的な浄化には適しているが、室内空気を全体的に効率良く浄化するには不向きであった。また、活性炭等の吸着材を使用した場合には、定期的に吸着材の交換が必要となり、ブラックライトを使用した場合には、電気代が嵩むといったように、ランニングコストが必要であった。
【０００５】
一方、近年においては、紫外線の照射により反応するだけでなく、蛍光灯や白熱灯、ハロゲンランプといった一般的な照明用光源からの可視光によっても触媒活性を発揮する可視光型光触媒が各種開発されている。そして、このような可視光型光触媒を室内の壁や天井にコーティングしたり(例えば特許文献１、特許文献２)、さらには可視光型光触媒を照明器具に担持させて(例えば特許文献３)、照明用光源からの可視光を可視光型光触媒に照射させることで、ランニングコストを抑えながら室内空気を浄化するシステムが提案されている。
【０００６】
【特許文献１】特開２０００−１０３６４７号公報
【特許文献２】特開２００１−２１２４５７号公報
【特許文献３】特開２００５−２４１８３号公報
【発明の開示】
【発明が解決しようとする課題】
【０００７】
しかしながら、室内の壁に可視光型光触媒をコーティングする場合には、室内に設置した家具等によって照明用光源からの可視光が面的に遮られることが多い。また、室内の天井に可視光型光触媒をコーティングする場合には、一般に照明用光源からの可視光は室内空間に向けて照射されるので、照明器具から離れた壁際等においては可視光が当たり難くなる。
【０００８】
従って、室内の壁や天井に可視光型光触媒を単にコーティングしただけでは、照明用光源からの可視光が十分に照射されない箇所が生じることが多く、そのような箇所にコーティングした可視光型光触媒が無駄になって、室内空気の浄化効率が悪くなるといった不具合があった。
【０００９】
一方、照明器具に可視光型光触媒を担持させる場合には、照明用光源からの可視光を可視光型光触媒に対して良好に照射させることができるが、室内の壁や天井に可視光型光触媒をコーティングする場合と比べて、可視光型光触媒領域が狭くなる。光触媒の反応速度は決して速くないため、室内空気を全体的に効率良く浄化するためには、空気との接触面積をある程度広く確保する必要があるが、照明器具に可視光型光触媒を担持させるだけでは十分な浄化効果を期待することはできないといった不具合があった。
【００１０】
そこで、この発明は、上記不具合を解消して、ランニングコストを抑えながら、室内空気を全体的に効率良く浄化することができる空気浄化機能を有する建築化照明システムの提供を目的とする。
【課題を解決するための手段】
【００１１】
上記課題を解決するため、この発明の空気浄化機能を有する建築化照明システムは、室内の天井１の下方に、透光性を有する例えば硝子板からなる天井板材２を配設するとともに、前記天井１と天井板材２との間の空間３に照明用光源４を配置して、前記天井板材２を透過させた前記照明用光源４からの可視光によって室内を照明するものであって、可視光の照射により活性を有する可視光型光触媒領域１０を、前記天井板材２における光透過部位に設けたことを特徴とする。
【００１２】
また、前記可視光型光触媒領域１０付近の空気を強制的に流動させるための送風機１１を、前記天井板材２により覆い隠すようにして、前記室内の天井１又は天井板材２に取り付けている。
【００１３】
さらに、前記室内の天井１と天井板材２との間の空間３と、前記天井板材２の下方の室内空間とを連通する通気用の空隙８、１２を設けている。
【発明の効果】
【００１４】
この発明の建築化照明システムにおいては、光天井による照明を採用して、照明用光源からの可視光を透過する光透過部位に可視光型光触媒領域を設けているから、比較的広い範囲の可視光型光触媒領域に対して可視光を直接且つ確実に照射することができ、これによって室内空気を全体的に効率良く浄化することができる。
【００１５】
しかも、照明用光源の点灯による日常的な照明に際して、同時に空気浄化を行うことができるため、ランニングコストを低く抑えることができる。
【００１６】
また、可視光型光触媒領域付近の空気を送風機によって強制的に流動させることで、室内空気を可視光型光触媒領域へ効率良く接触させることができ、これによって室内空気の浄化効率を高めることができる。さらに、照明用光源や送風機を覆い隠すことで、見栄えの良好なデザインされた建築化照明において空気浄化を実現することができる。
【００１７】
さらに、天井板材として、無機質素材である硝子板を用いると、可視光型光触媒によって天井板材が分解されるといった不具合が生じず、長期に亘って安定的に空気浄化機能を発揮させることができる。
【発明を実施するための最良の形態】
【００１８】
この発明の実施形態について、図面を参照しつつ詳細に説明する。この発明の一実施形態に係る建築化照明システムは、図１及び図２に示すように、住宅における室内の天井１の下方に透光性を有する天井板材２を略水平に吊り下げ支持して二重天井を構成し、この二重天井の内部空間すなわち室内の天井１と天井板材２・・との間の空間３に、照明用光源４・・を配置している。そして、照明用光源４・・からの可視光を、天井板材２において透過させて光天井とし、この光天井によって室内を照明するようになっている。
【００１９】
天井板材２は、略方形状に形成された硝子板からなる。なお、天井板材２としては、例えばアクリル板等のような硝子板以外の透光性を有する板材を用いるようにしても良い。また、この天井板材２と室内の壁６との間には、空間３と天井板材２の下方の室内空間とを連通する通気用の空隙８が確保されている。
【００２０】
照明用光源４・・としては、可視光を照射する蛍光灯が用いられているが、可視光を照射するものであれば、白熱灯やハロゲン灯等のその他のインテリア照明用光源を用いても良い。この照明用光源４は、天井板材２によって覆い隠された状態で、天井１に取り付けられている。
【００２１】
そして、この建築化照明システムにおいては、図２に示すように、例えば２０００〜３０００ルクスといった照度が得られる天井板材２・・の上下面である光透過部位に、可視光の照射により活性を有する可視光型光触媒がコーティングされて、可視光型光触媒領域１０が設けられている。この場合、天井板材２として無機質素材である硝子板を用いていると、コーティングした可視光型光触媒によって天井板材２が分解されるといった不具合が生じず、長期に亘って安定的に空気浄化機能を発揮させることができる。
【００２２】
さらに、この可視光型光触媒領域１０と室内空気との接触機会を増やして、室内空気の浄化効率を高めるために、可視光型光触媒領域１０付近の空気を強制的に流動させるための送風機１１が、天井板材２により覆い隠された状態で天井板材２の上面に取り付けられている。そして、天井板材２には、通気用の空隙を確保するガラリ１２が形成されている。なお、この送風機１１は、天井板材２の上面に取り付けるだけでなく、室内の天井１に取り付けるようにしても良い。
【００２３】
上記構成の建築化照明システムにおいて、照明用光源４を点灯させると、図２に示すように、照明用光源４からの可視光が、天井板材２を透過して天井板材２・・の下方の室内空間へ向けて照射する。
【００２４】
このとき、天井板材２の光透過部位には、可視光型光触媒領域１０・・が設けられているので、可視光下で強い触媒活性を発揮し、この可視光型光触媒領域１０に対して、空間３内の空気及び天井板材２の下方の室内空気が接触することで、これら空気に含まれる有害な有機化合物が分解除去され、また脱臭される。ここで、空間３内に設けた送風機１１を作動させることで、空間３内の空気が撹拌されて、可視光型光触媒領域１０への空間３内の空気の接触機会が増え、これによって空間３内の空気の浄化が促進される。
【００２５】
浄化後の空間３内の空気は、ガラリ１２から天井板材２・・の下方の室内空間へ向けて送り出され、代わりに天井板材２・・の下方の室内空気が空隙８から空間３内に流れ込むといった空気循環が繰り返されることで、室内空間全体の空気が効率良く浄化される。
【００２６】
この発明は、上記実施形態に限定されるものではなく、この発明の範囲内で上記実施形態に多くの修正及び変更を加え得ることは勿論である。例えば、この発明の建築化照明システムは、住宅の室内に適用するだけに限らず、例えば駅舎のトイレ等の公共施設、エレベータ内等の気流の少ない閉鎖空間にも有効に適用することができる。
【図面の簡単な説明】
【００２７】
【図１】この発明の一実施形態に係る建築化照明システムの斜視図である。
【図２】同じくその縦断面図である。
【符号の説明】
【００２８】
１・・天井、２・・天井板材、３・・空間、４・・照明用光源、８、１２・・通気用の空隙、１０・・可視光型光触媒領域、１１・・送風機
【図１】
2007095552.tif 000003
【図２】
2007095552.tif 000004